(57)【要約】【課題】人形の着物や周辺の装飾品の色褪せや表面キズの発生を軽減すると共に、暗闇で長時間高輝度に自然発光することができる和人形および装飾品を提供すること。【解決手段】和人形（１）の着物、頭髪、人形本体の表面、および周囲の装飾品（２０）の表面に、単一あるいは多成分系の金属酸化物ガラス膜により形成されるガラス膜層（１１）を設けた。【選択図】    図１
2004298592.tif 000002
【特許請求の範囲】
【請求項１】
和人形の着物、頭髪、人形本体の表面に、単一あるいは多成分系の金属酸化物ガラス膜により形成されるガラス膜層を設けたことを特徴とする和人形。
【請求項２】
前記ガラス膜層は、加水分解可能な有機金属化合物を、水と有機溶媒の反応液中で、ホウ素イオンの存在下、ハロゲンイオンを触媒にしｐＨを４．５ないし５．０に調整しつつ加水分解、脱水縮合して反応生成物を生成し、２００度以下の温度でガラス化してなる膜層により形成したことを特徴とする請求項１記載の和人形。
【請求項３】
前記和人形の表面とガラス膜層との間に、周囲の光を蓄え自然発光可能な蓄光剤による発光膜層を介在させた請求項１または２記載の和人形。
【請求項４】
前記ガラス膜層の表面に液状酸化チタンを塗布した請求項１乃至３記載の和人形。
【請求項５】
前記和人形の周囲に配設される装飾品であって、かかる装飾品の表面に、単一あるいは多成分系の金属酸化物ガラス膜により形成されるガラス膜層を設けたことを特徴とする装飾品。
【請求項６】
前記装飾品の表面とガラス膜層との間に、周囲の光を蓄え自然発光可能な蓄光剤による発光膜層を介在させた請求項５記載の装飾品。
【請求項７】
前記ガラス膜層の表面に液状酸化チタンを塗布した請求項５または６記載の装飾品。
【請求項８】
前記装飾品は台座である請求項５乃至７記載の装飾品。
【請求項９】
前記装飾品は屏風である請求項５乃至７記載の装飾品。
【請求項１０】
前記装飾品は金箔装着部である請求項５乃至７記載の装飾品。
【請求項１１】
前記装飾品は鎧である請求項５乃至７記載の装飾品。
【発明の詳細な説明】
【０００１】
【発明の属する技術分野】
本発明は、色褪せや表面キズの発生を軽減すると共に、暗闇で長時間高輝度に自然発光することができる和人形および装飾品に関する。
【０００２】
【従来の技術】
従来より、雛人形などの和人形や、和人形の周囲に配設される装飾品においては、日本の歴史とともに日本人の手により製作され発展してきた。そのため、和人形の着物や頭髪、また人形の顔等は非常に繊細に製作されると共に、装飾品の表面には漆や金箔等が施され、微妙な風合いや奥深い趣が醸し出されていた。また特に、雛人形などに用いる髪飾りを良く目立つようにして装飾効果を高め、豪華さや個性をより強調できるようにすることにより、人形の付加価値を高めることを特徴とする人形がある（例えば、特許文献１参照）。
【０００３】
【特許文献１】
特開平５−２９３２５４号公報  （第１−３頁、図３）
【０００４】
【発明が解決しようとする課題】
しかしながら、上掲特許文献１の人形においては、黒色あるいは暗色とした頭髪の正面側面部に光り物の髪飾りを配し、その髪飾りの全体あるいはその一部が前方から視覚において頭髪の正面側面部を背景とするように構成したものであるため、人形全体の装飾効果を高めるまでには至らなかった。また、一般的な和人形や装飾品においては、装飾中に人形の着物や顔が色褪せたり、装飾品の表面に擦りキズが発生して外観的に劣化が生じるという問題があった。
【０００５】
そこで本発明は上記の点に鑑み、人形の着物や周辺の装飾品の色褪せや表面キズの発生を軽減すると共に、暗闇で長時間高輝度に自然発光させることができる和人形および装飾品を提供することにある。
【０００６】
【課題を解決するための手段】
上記課題を解決するために、本発明は、和人形の着物、頭髪、人形本体の表面に、単一あるいは多成分系の金属酸化物ガラス膜により形成されるガラス膜層を設けたことを特徴とする。また、前記ガラス膜層は、加水分解可能な有機金属化合物を、水と有機溶媒の反応液中で、ホウ素イオンの存在下、ハロゲンイオンを触媒にしｐＨを４．５ないし５．０に調整しつつ加水分解、脱水縮合して反応生成物を生成し、２００度以下の温度でガラス化してなる膜層により形成されている。そのため、ガラス膜層のコーティング効果により、人形の着物や頭髪等の色褪せを軽減することができる。
【０００７】
また、前記和人形の表面とガラス膜層との間に、周囲の光を蓄え自然発光可能な蓄光剤による発光膜層を介在させたことにより、和人形が暗闇で高輝度に長時間自然発光し、高級感や深い趣を醸し出すことができる。
【０００８】
また、ガラス膜層の表面に液状酸化チタンを塗布したことにより、光触媒作用が得られ、周辺の空気浄化や人形表面に塵や埃が付着することを軽減できる。
【０００９】
さらに、台座、屏風、金箔装着部、鎧等の装飾品の表面に、上記の工程を施すことにより、色褪せやキズ発生を軽減させると共に、装飾品を暗闇で高輝度に長時間自然発光させることができる。
【００１０】
【発明の実施の形態】
以下、発明の和人形および装飾品の実施の形態を図面に基づいて説明する。なお、図１は本発明の和人形および装飾品の正面図、図２は装飾品である鎧の正面図、図３は和人形および装飾品の表面の拡大断面図、図４および図５は他の好適例を示す拡大断面図をそれぞれ表す。
【００１１】
図１に示す和人形１は、例えば、男雛ａや女雛ｂにて構成された雛人形からなり、和人形１の着物２、頭髪３、人形本体４の基材１０の表面には、単一あるいは多成分系の金属酸化物ガラス膜により形成されるガラス膜層１１が設けられている。また、前記ガラス膜層１１を形成する箇所は、例えば、着物２単体であったり、頭髪３や人形本体４のみであってもよい。なお、本発明の和人形１は、図示する雛人形に限らず、節句人形であってもよい。
【００１２】
ガラス膜層１１は、図３に示すように、前記基材１０の表面をコーティングするように設けられる、単一あるいは多成分系の金属酸化物ガラス膜からなっている。そして、この金属酸化物ガラスからなるガラス膜層１１の表面は、通常のガラス表面と同様に極めて滑らかである上に、鏡の表面のように光を反射するきらきらと輝く充分な光沢を有している。
【００１３】
また、このガラス膜層１１は光透過性にも優れており、ガラス膜層１１内を通過する光が有する光力をなんら減光することがない。また、ガラス膜層１１は耐候性も極めて優れており、長期間経過してもガラス自体が変色あるいは白濁することがなく、さらに塵埃や煤煙等が内部へと浸透することがく、外観的に劣化することがない。
【００１４】
また、前記ガラス膜層１１を形成する金属酸化物ガラスは、酸化チタンや酸化ケイ素と同様に光触媒効果があることが確認されている。周知のように光触媒効果は、光を受光した際に汚れ物質や臭い物質を分解除去することができるため、和人形１の表面に光触媒効作用を施すことにより、汚れの発生が抑えられると共に、表面に擦り傷が生じるのを軽減できる。
【００１５】
前記ガラス膜層１１を形成するには、予め、加水分解可能な有機金属化合物を、水と有機溶媒の反応液中で、ホウ素イオンの存在下、ハロゲンイオンを触媒にしｐＨを４．５ないし５．０に調整しつつ加水分解、脱水縮合して反応生成物を生成しておく。そして、この反応生成物を前記基材２の表面に所定厚み分塗布し、２００度以下の温度でガラス化させることによりガラス膜を形成する。なお、この金属酸化物ガラスの形成方法は、特開平６−１９９５２８号公報（特許第２５３８５２７号）に記載された公知の技術である。
【００１６】
なお、前記ガラス膜層１１は、適宜希釈して汎用のスプレーにて噴霧することにより、和人形１の着物や頭髪等の表面に容易に施すことができる。
【００１７】
また、他の好適例として、図４に示すように、前記基材１０とガラス膜層１１との間に、周囲の光を蓄え自然発光可能な蓄光剤による発光膜層１２を介在させた。なお、前記発光膜層１２を介在させる箇所は、人形の全面または任意の一部分に施すことが好ましい。
【００１８】
発光膜層１２は、光を蓄え自然発光が可能な蓄光剤からなっていて、この蓄光剤は、周知の金属化合物や希土類を複数混合し汎用の展色剤を混合して形成するものである。この発光膜層１２の層幅は、日没後、周囲が暗くなても周囲の状況を確認するのに充分な光力を放つことが可能で、さらに夜が明けるまで光を放出し続ける充分な発光時間（約１０時間）を確保するために必要な厚み、１０ｃｍ四方に対し３ないし５ｇの蓄光剤を散布して形成される層幅を有している。
【００１９】
前記発光膜層１２を例えば着物２の図柄部分に設けることにより、図柄の周囲が暗闇で高輝度に長時間自然発光するため、和人形１の高級感や深い趣を醸し出すことができる。
【００２０】
また、他の好適例として、図５に示すように、前記ガラス膜層１１の表面に液状酸化チタン１３を塗布することが好ましい。液状酸化チタン１３は、アモルファスチタン酸溶液（ＰＴＡゾル）とペルオキソ改質アナタース（ＰＡゾル）からなり、かかる液状酸化チタン１３をガラス膜層１１の表面に塗布することにより、光触媒作用が得られて周辺の空気浄化や人形表面に塵や埃が付着することを軽減できる。
【００２１】
装飾品２０は、前記和人形１の周囲に配設されるもので、図１に示す、和人形１が載置される台座２１、和人形１の背部に配設される屏風２２、また、装飾品２０の一部に設けられた金箔装着部２３、さらには、図２に示す鎧２４等からなる。
【００２２】
また、前記装飾品２０の基材３０の表面には、前記和人形１の基材１０の表面と同様に、ガラス膜層３１、発光膜層３２、液状酸化チタン３３が施されている。前記台座２１、屏風２２、金箔装着部２３、および鎧２４の表面に、上記の工程を施すことにより、色褪せやキズ発生を軽減させると共に、装飾品２０を暗闇で高輝度に長時間自然発光させることができ、深い趣や高級感を醸し出すことができる。
【００２３】
【発明の効果】
以上説明してきたように、本発明の和人形および装飾品は、上述により以下に示す効果を奏するものである。
【００２４】
和人形の着物、頭髪、人形本体の表面に、単一あるいは多成分系の金属酸化物ガラス膜により形成されるガラス膜層を設けた。また、前記ガラス膜層は、加水分解可能な有機金属化合物を、水と有機溶媒の反応液中で、ホウ素イオンの存在下、ハロゲンイオンを触媒にしｐＨを４．５ないし５．０に調整しつつ加水分解、脱水縮合して反応生成物を生成し、２００度以下の温度でガラス化してなる膜層により形成されている。そのため、ガラス膜層のコーティング効果により、人形の着物や頭髪、また人形本体の色褪せや表面キズの発生を軽減することができる。
【００２５】
また、前記和人形の表面とガラス膜層との間に、周囲の光を蓄え自然発光可能な蓄光剤による発光膜層を介在させたことにより、和人形が暗闇で高輝度に長時間自然発光し、高級感や深い趣を醸し出すことができる。
【００２６】
また、ガラス膜層の表面に液状酸化チタンを塗布したことにより、光触媒作用が得られ、周辺の空気浄化や人形表面に塵や埃が付着することを軽減できる。
【００２７】
さらに、台座、屏風、金箔装着部、および鎧等の装飾品の表面に、上記の工程を施すことにより、色褪せやキズ発生を軽減させると共に、装飾品を暗闇で高輝度に長時間自然発光させることができる。
【図面の簡単な説明】
【図１】本発明の和人形および装飾品の正面図である。
【図２】本発明の装飾品である鎧の正面図である。。
【図３】和人形および装飾品の表面の拡大断面図である。
【図４】他の好適例を示す和人形および装飾品の拡大断面図である。
【図５】他の好適例を示す和人形および装飾品の拡大断面図である。
【符号の説明】
１・・・和人形
２・・・着物
３・・・頭髪
４・・・人形本体
１０・・基材
１１・・ガラス膜層
１２・・発光膜層
１３・・液状酸化チタン
２０・・装飾品
２１・・台座
２２・・屏風
２３・・金箔装着部
２４・・鎧
３０・・基材
３１・・ガラス膜層
３２・・発光膜層
３３・・液状酸化チタン
ａ・・・男雛
ｂ・・・女雛
【図１】
2004298592.tif 000003
【図２】
2004298592.tif 000004
【図３】
2004298592.tif 000005
【図４】
2004298592.tif 000006
【図５】
2004298592.tif 000007